(57)【要約】【課題】構造を軸方向に大型化することなく、ロータ内への水の浸入を防止することができるシリンダ錠を提供する。【解決手段】シリンダ錠１１は、ケース３内にロータ２を回動可能に収容しており、キー挿入孔２ａからロータ２に所定のキーが差し込まれることにより、ロータ２が回動可能とされる。そして、キー挿入孔２ａを外側から覆うカバー部材２０を設け、カバー部材２０の一部分を、キー挿入孔２ａを閉鎖する当接位置と、キー挿入孔２ａを開放する回動位置との間を移動可能である回動部２２とした。このため、シリンダ錠１１内部にシャッタ板を設ける必要がない。また、カバー部材２０の固定部２１をロータ２に固定し、回動部２２をロータ２を回動させるための操作手段とした。回動部２２には、キーの差し込み方向を規定する係止突部２４を設けた。【選択図】  図１
2004300883.tif 000002
【特許請求の範囲】
【請求項１】
ケース内にロータを回動可能に収容しており、キー挿入孔から前記ロータに所定のキーが差し込まれることにより、同ロータが回動可能とされるシリンダ錠において、
前記キー挿入孔を外側から覆うカバー部材を設け、該カバー部材の少なくとも一部分を、前記キー挿入孔を閉鎖する閉鎖位置と、前記キー挿入孔を開放する開放位置との間を移動可能である移動部材としたことを特徴とするシリンダ錠。
【請求項２】
前記カバー部材を前記ロータに固定し、前記移動部材を前記ロータを回動させるための操作手段としたことを特徴とする請求項１に記載のシリンダ錠。
【請求項３】
前記キーの差し込み方向を規定する差し込み方向規定手段を設けたことを特徴とする請求項１又は請求項２に記載のシリンダ錠。
【発明の詳細な説明】
【０００１】
【発明の属する技術分野】
本発明は、シリンダ錠に係り、詳しくはキー挿入孔を覆うカバーを設けたシリンダ錠に関するものである。
【０００２】
【従来の技術】
従来、ケース内にロータを回動可能に収容しており、キー挿入孔からロータに所定のキーが差し込まれることにより、ケース内でロータが回動可能とされるシリンダ錠が公知である（特許文献１参照）。即ち、図３（ａ）に示すように、シリンダ錠１は、ケース３と、ケース３内に収容されたロータ２とを備える。そして、ロータ２内には、ロータ２に差し込まれるキー５と係合可能なタンブラ４が収容されている。ケース３は、収容体６の一端側に収容され、同じく他端側にはイグニッションスイッチ７が収容されている。そして、収容体６の内部において、ロータ２とイグニッションスイッチ７とが一体的に連結されている。また、収容体６のケース３側の端部は先端壁６ｂにより覆われており、先端壁６ｂにはキー５をロータ２内に差し込み可能としたキー挿入孔６ａが形成されている。
【０００３】
図３（ｂ）に示すように、タンブラ４は、ロータ２内で一端部がロータ２の周面から突出する方向（図中矢印方向）に付勢されている。このように付勢されることで、常時（ロータ２内にキー５が差し込まれていないとき）はタンブラ４の一端部がケース３の内周壁に形成された係合溝３ａに係合する。このため、ロータ２はケース３内で回動することができない。そして、正規のキー５がキー挿入孔６ａからロータ２内に差し込まれると、タンブラ４はキー５の係合溝に係合しロータ２の周面内に収まる。すると、タンブラ４と係合溝３ａとの係合が解除され、ロータ２はケース３内において回動可能となる。この状態で、キー５を把持してロータ２を回動操作し、イグニッションスイッチ７を、図３（ｂ）に示す「ＬＯＣＫ」、「ＡＣＣ」、「ＯＮ」、「ＳＴＡＲＴ」のうちのいずれかの位置に切り換えることができる。
【０００４】
上記のシリンダ錠１において、キー５がロータ２内に挿入されていないときには、キー挿入孔６ａは常に外部に開口している。このため、キー挿入孔６ａからロータ２内に水が浸入するおそれがあった。そして、それに起因してタンブラ４に錆が生じ、キーとタンブラ４とが正しく係合されないという問題があった。また、ゴミ等の異物がキー挿入孔６ａからロータ２内に侵入すると、この異物がキーとタンブラ４との間に噛み込まれ、両者が正しく係合されない。このため、シリンダ錠１に正規のキー５が差し込まれても、ロータ２はケース３内で回動することができないという問題があった。
【０００５】
そこで、これらの問題を解決するために、キー挿入孔を閉鎖するシャッタ板を設けることにより、ロータ内部への水の浸入や異物の侵入を防止するようにしたシリンダ錠が、従来提案されている（特許文献２参照）。即ち、図４に示すように、このシリンダ錠には、キー挿入孔１６ａをロータ２内部から覆うシャッタ板１０４が設けられている。そして、シャッタ板１０４には、基端部がケース３に固定されたねじりコイルバネ１０５の先端部が固定されている。
【０００６】
この構成により、キーが差し込まれないときは、シャッタ板１０４はねじりコイルバネ１０５の弾性力によりロータ２外方に付勢されて、キー挿入孔１６ａを閉鎖する。このため、常時はシリンダ錠は外部から保護され、ロータ２内への水の浸入や異物の侵入が防止される。また、キーをキー挿入孔１６ａから差し込むときは、キーの先端部により、ねじりコイルバネ１０５の弾性力に抗してシャッタ板１０４をロータ２内方に押動することで、キー挿入孔１０６ａを開放することができる。
【０００７】
【特許文献１】
実開昭５９−６９３７１号公報
【特許文献２】
実開平５−６１５３号公報
【０００８】
【発明が解決しようとする課題】
しかしながら、上記の構成であると、シリンダ錠内のキー挿入孔１６ａ付近にシャッタ板１０４及びねじりコイルバネ１０５を配設するためのスペースが必要であり、これらの部材が設けられない場合の先端面の位置（図４中二点鎖線で示す位置）と比較して、シリンダ錠１が軸心方向に大型化するという問題がある。
【０００９】
本発明は上記課題に鑑みなされたものであり、構造を軸方向に大型化することなく、ロータ内への水の浸入を防止することができるシリンダ錠を提供することを目的とする。
【００１０】
【課題を解決するための手段】
上記の目的を達成するため、請求項１に記載の発明は、ケース内にロータを回動可能に収容しており、キー挿入孔から前記ロータに所定のキーが差し込まれることにより、同ロータが回動可能とされるシリンダ錠において、前記キー挿入孔を外側から覆うカバー部材を設け、該カバー部材の少なくとも一部分を、前記キー挿入孔を閉鎖する閉鎖位置と、前記キー挿入孔を開放する開放位置との間を移動可能である移動部材としたことを特徴とする。
【００１１】
請求項１に記載の発明によれば、カバー部材は、常時はキー挿入孔を覆い閉鎖して外部からロータ内への水の浸入や異物の侵入を防止することができ、キーをロータ内に差し込むときは移動されて、キー挿入孔を開放させる。また、カバー部材はキー挿入孔を外側から覆うため、カバー部材及びカバー部材を移動させるための機構をシリンダ錠内部に設ける必要がなく、シリンダ錠のカバー部材以外の部分の構造が軸方向に大型化することがない。従って、構造を軸方向に大型化することなく、ロータ内への水の浸入を防止することができる。
【００１２】
請求項２に記載の発明は、請求項１において、前記カバー部材を前記ロータに固定し、前記移動部材を前記ロータを回動させるための操作手段としたことを特徴とする。
【００１３】
請求項２に記載の発明によれば、請求項１に記載の発明の作用に加えて、移動部材を操作してロータを回動させることができるため、キー操作によりロータを回動させる必要がない。このため、ロータ回動時のロータの回転トルクはキーにではなくカバー部材にかかる。従って、キーはこの回転トルクに耐え得る程度の強度を有する必要がなく、キーを薄型化、小型化することが可能となり、それに伴いシリンダ錠を小型化することができる。
【００１４】
請求項３に記載の発明は、請求項１又は請求項２において、前記キーの差し込み方向を規定する差し込み方向規定手段を設けたことを特徴とする。
請求項３に記載の発明によれば、請求項１又は請求項２に記載の作用に加えて、シリンダ錠に対してキーを正しい方向で差し込むことができる。
【００１５】
【発明の実施の形態】
以下、本発明をドアのシリンダ錠１１に具体化した実施形態を、図１及び図２を参照して説明する。図１（ａ）は本発明に係るシリンダ錠１１の模式側面図であり、（ｂ）は模式正面図である。なお、図１（ａ）は、一部図１（ｂ）のＡ−Ａ線模式断面図を示す。図２（ａ）はシリンダ錠１１の使用状態を説明する模式側面図であり、（ｂ）は模式正面図、（ｃ）は模式平面図である。なお、ここでは従来技術で説明したシリンダ錠１と共通する点については同一番号を付すのみとし、その説明を省略する。
【００１６】
図１（ａ）に示すように、シリンダ錠１１は、シリンダ錠１においてイグニッションスイッチ７の代わりに操作部材８が設けられている。収容体６はドア側の支持部材に固定され、ロータ２が回動操作されることで、操作部材８はドアに施錠作用又は開錠作用をもたらす。
【００１７】
そして、シリンダ錠１１は、キーが差し込まれる側は、収容体６の先端壁６ｂ（図３（ａ）参照）が形成されておらず、この位置に、ロータ２に収容体６よりも大径を有する略円盤形状の先端壁２ｂが形成されている。先端壁２ｂには、ロータ２内にキーを差し込み可能としたキー挿入孔２ａが形成されている。図１（ａ）及び（ｂ）に示すように、キー挿入孔２ａには、キー挿入孔２ａを外側から覆うカバー部材２０が設けられている。なお、シリンダ錠１１におけるカバー部材２０以外の部分は、公知のシリンダ錠であればどのような構成であってもよい。
【００１８】
図１（ａ）に示すように、カバー部材２０は、固定部２１と、移動部材としての回動部２２とを備える。固定部２１は、ロータ２の先端壁２ｂと同径を有する円盤形状の、図中水平方向に下側約３分の１の部分である。また、回動部２２は、ロータ２の先端壁２ｂと同径を有する円盤形状の、図中水平方向に上側約３分の２の部分である。このため、固定部２１と回動部２２とを合わせると、先端壁２ｂを同径を有する略円盤形状となる。固定部２１はロータ２の先端壁２ｂに固定されており、回動部２２はピン２３を介して固定部２１に回動可能に連結されている。
【００１９】
図１（ｂ）に示すように、固定部２１の上端部には、係合部２１ｂが設けられている。図１（ａ）に示すように、係合部２１ｂの上端面は、ピン２３を中心として回動部２２が回動可能となる曲面形状とされている。また、固定部２１は、先端壁２ｂ（ロータ２）側の固着面２１ａが、先端壁２ｂに全面固定されることにより、ロータ２に固定されている。なお、固着面２１ａは、図１（ｂ）において、便宜上斜線を付して示す領域である。
【００２０】
図１（ｂ）に示すように、回動部２２の下端部には、固定部２１の係合部２１ｂを下方向から嵌入可能とする凹部２２ａが形成されている。カバー部材２０は、ロータ２に固定された固定部２１の係合部２１ｂに、回動部２２の凹部２２ａが上側から嵌入された状態で、水平方向に固定部２１及び回動部２２にピン２３を貫通して構成されている。回動部２２は、ピン２３を回動中心として、先端壁２ｂのキー挿入孔２ａが開口する面から離間する方向（図１（ａ）中、右方向）に回動可能である。
【００２１】
回動部２２は、図１（ａ）に示す閉鎖位置としての「当接位置」と、図２（ａ）に示す開放位置としての「回動位置」との間を移動する。「当接位置」は、回動部２２が先端壁２ｂに当接する位置である。この当接位置にて、回動部２２はキー挿入孔２ａを外側から覆って閉鎖する。「回動位置」は、回動部２２が当接位置から回動方向（図１（ａ）中右方向）に９０°回動した位置である。この位置において、回動部２２は外側面が固定部２１に当接して係止される（図２（ａ）参照）。また、回動位置において、回動部２２の上面は、先端壁２ｂに形成されたキー挿入孔２ａの下面と略同一かやや低い高さとされる（図２（ａ）参照）。回動部２２は、回動位置において、ロータ２を回動させるための操作手段とされる。
【００２２】
また、図１（ｂ）に示すように、カバー部材２０には、回動部２２のロータ２側の面（図２（ｂ）参照）に、差し込み方向規定手段としての係止突部２４が設けられている。先端壁２ｂには、この係止突部２４を収容可能な凹部２ｃが形成されている。係止突部２４は、回動部２２が当接位置にあるときは、凹部２ｃに収容される。
【００２３】
〔実施形態の作用〕
次に、上記の構成のシリンダ錠１１の動作について説明する。
図２（ａ）及び（ｂ）に示すように、施錠時又は開錠時に、シリンダ錠１１にはキー１５が差し込まれる。図２（ｃ）に示すように、キー１５は、ロータ２内に差し込まれる挿入部１５ａと、挿入部１５ａとでＬ字状をなすように形成された把持部１５ｂとを備える。なお、キー１５は金属製とされている。
【００２４】
シリンダ錠１１は、キー１５が差し込まれていないときは、図１（ａ）に示すように、カバー部材２０の回動部２２がキー挿入孔２ａを外側から覆う当接位置とされている。このため、キー挿入孔２ａは外部から保護され、ロータ２内への水の浸入やゴミ等の小さな異物の侵入が防止される。また、このとき、回動部２２の係止突部２４は、先端壁２ｂに形成された凹部２ｃ内に収容されている。
【００２５】
シリンダ錠１１にキー１５を差し込むには、先ず、図２（ａ）に示すように、カバー部材２０の回動部２２を当接位置から回動位置に回動させる。すると、図２（ｂ）に示すように、ロータ２の先端壁２ｂに形成されたキー挿入孔２ａが開放される。この状態で、図２（ｃ）に示すように、キー１５の把持部１５ｂを係止突部２４が設けられた側と反対側（図中上側）として、キー１５をキー挿入孔２ａに差し込む。
【００２６】
このとき、キー１５が係止突部２４に引っ掛かることはなく、キー１５を正しい方向でロータ２内に差し込むことができる。また、キー１５を回動部２２上に載置して摺動させながら差し込むことができるため、キー挿入孔２ａからロータ２内にキー１５を安定した状態で差し込むことができる。このとき、仮に、キー１５の差し込み方向が反対であると、キー１５の把持部１５ｂが係止突部２４に引っ掛かり、キー１５の挿入部１５ａはロータ２内において正規の位置まで差し込まれない。
【００２７】
そして、図２（ａ）に示すように、回動位置とされたカバー部材２０の回動部２２を把持し、カバー部材２０をシリンダ錠１１の軸心を中心として回動操作する。すると、回動部２２に連結された固定部２１が、固着面２１ａでロータ２の先端壁２ｂに固定されているため、ロータ２がケース３内において回動する。それに伴い操作部材８が回動し、この操作部材８の回動によりドアは施錠操作又は開錠操作される。
【００２８】
〔実施形態の効果〕
従って、本実施形態によれば、以下の効果を得ることができる。
（１）  本実地形態においては、キー挿入孔２ａを外側から覆うカバー部材２０を設けた。このため、カバー部材２０は常時はキー挿入孔２ａを覆って閉鎖し、外部からロータ２内への水の浸入や異物の侵入を防止することができる。また、キー１５をロータ２内に差し込むときは、カバー部材２０の回動部２２を回動移動させることでキー挿入孔２ａを開放させることができる。更には、カバー部材２０はキー挿入孔２ａを外側から覆うため、カバー部材２０及びカバー部材２０の回動部２２を移動させるための機構をシリンダ錠１１内に設ける必要がなく、シリンダ錠１１のカバー部材２０以外の部分の構造が軸方向に大型化することがない。従って、構造を軸方向に大型化することなく、ロータ２内への水の浸入を防止するシリンダ錠１１とすることができる。
【００２９】
また、カバー部材２０において、固定部２１に対して回動部２２は下開きするように構成したため、回動部２２は自重により当接位置から回動位置に移動しやすい。即ち、回動部２２は、上端部（図２（ａ）参照）を、先端壁２ｂに当接する位置から僅かに離間させれば、その後は自重により回動位置まで回動する。このため、回動部２２を当接位置から回動位置に移動させる操作は、回動部が上開きである場合と比較して、容易である。
【００３０】
（２）  本実施形態においては、カバー部材２０の回動部２２を、ロータ２を回動させるための操作手段とした。カバー部材２０の回動部２２を操作してロータ２を回動させることができるため、キー１５の操作によりロータ２を回動させる必要がなく、ロータ２回動時のロータ２の回転トルクはキー１５にではなくカバー部材２０にかかる。従って、キー１５はこの回転トルクに耐え得る程度の強度を有する必要がなく、キー１５を薄型化、小型化することが可能となり、それに伴いシリンダ錠１１を小型化することができる。また、このように、カバー部材２０に、シリンダ錠１１を外部から保護する以外にも、ロータ２回動時の回転トルク支持部材としての機能を付すことができる。
【００３１】
（３）  本実施形態においては、キー１５の差し込み方向を規定する係止突部２４を設けた。このため、キー１５をシリンダ錠１１に対して正しい方向で差し込むことができる。また、このように、カバー部材２０に、シリンダ錠１１を外部から保護する以外にも、キー１５の誤方向挿入時の規制部材としての機能を付すことができる。
【００３２】
〔別例〕
なお、上記実施形態は以下のような別例に変更して具体化してもよい。
・  本実施形態においては、カバー部材２０に、キー１５の差し込み方向を規定する係止突部２４を設けたが、係止突部２４を設けなくてもよい。
【００３３】
また、キー１５の差し込み方向を規定する部材は他の部材であってもよい。例えば、カバー部材２０の回動部２２に突条部を設け、キー１５の挿入部１５ａの側面にこの突条部を案内する差し込み方向規定手段としてのガイド溝を設けてもよい。そうすると、キー１５の差し込み方向が反対であると、キー１５の側面が回動部２２に形成された突条部に邪魔されて、挿入部１５ａの先端部が先端壁２ｂのキー挿入孔２ａに合致することができない。このため、キー１５をキー挿入孔２ａから差し込むことができない。
【００３４】
また、先端壁２ｂのキー挿入孔２ａの長手方向に沿ってキー挿入孔２ａに連通するように、差し込み方向規定手段としてキー１５の把持部１５ｂが嵌合可能な凹部を設けてもよい。そして、この凹部に把持部１５ｂが嵌合した状態で、キー１５の挿入部１５ａがロータ２内で正規の位置とされるように構成してもよい。そうすると、キー１５の差し込み方向が反対であると、キー１５の把持部１５ｂが先端壁２ｂに係止されて、挿入部１５ａは正規の位置まで差し込まれることができない。
【００３５】
・  本実施形態においては、カバー部材２０の回動部２２を、ロータ２を回動させるための操作手段としたが、ロータ２を回動させることが可能であれば、操作手段をどのように構成してもよい。例えば、カバー部材２０とは別部材として、ロータ２を回動させるための操作部材を設けてもよい。
【００３６】
・  本実施形態においては、カバー部材２０の回動部２２が、先端壁２ｂのキー挿入孔２ａが開口される面から離間する方向に回動される構成とした。しかし、キー挿入孔２ａを開放させるように移動可能であれば、カバー部材２０をどのように移動させてもよい。例えば、キー挿入孔２ａを開放させるために移動される部材は、キー挿入孔２ａと同一面においてスライド移動される構成としてもよい。そうすると、シリンダ錠１１を、キー１５を差し込むときにおいても、軸方向に小型化することができる。
【００３７】
・  本実施形態において、カバー部材２０の回動部２２を、回動位置から元の当接位置に復帰させる復帰手段を設けてもよい。例えば、ねじりコイルばね等により、回動部２２が回動位置から当接位置に向かって常時付勢される構成としてもよい。そうすると、キー１５をロータ２内に差し込む際に回動された回動部２２は、キー１５がロータ２内に差し込まれて所望の操作を終え、ロータ２から引き抜かれた後、回動位置から当接位置に自動的に復帰するため、操作性が高い。
【００３８】
・  本実施形態においては、キー１５は金属製としたが、合成樹脂により形成してもよい。そうすると、キー１５を軽量化することができ携帯に便利である。
・  本実施形態の操作部材８は、ドアに施錠作用又は開錠作用をもたらす場合に限定されず、他の用途に使用してもよい。例えば、操作部材８を車両のイグニッション装置に取り付け、イグニッションを切り換え可能としてもよい。また、車両のドアロック装置に取り付け、操作部材８をドアロック装置に接続してもよい。
【００３９】
〔付記〕
次に、前記実施形態及び別例から把握できる技術的思想を以下に追記する。
（イ）  請求項１乃至請求項３のうちいずれか１項において、前記移動部材は、少なくとも一部分が、前記キー挿入孔が開口する面から離間するように回動されることを特徴とする。
（ロ）  上記（イ）において、前記移動部材は、前記ロータを回動させるための操作手段としたことを特徴とする。
【００４０】
【発明の効果】
以上詳述したように、請求項１乃至請求項３に記載の発明によれば、構造を軸方向に大型化することなく、ロータ内への水の浸入を防止することができる。
【図面の簡単な説明】
【図１】第１実施形態のシリンダ錠の（ａ）は模式側面図、（ｂ）は模式正面図。
【図２】シリンダ錠の使用状態を説明する（ａ）は模式側面図、（ｂ）は模式正面図、（ｃ）は模式平面図。
【図３】従来のシリンダ錠を説明する（ａ）は模式断面図、（ｂ）は（ａ）のＢ−Ｂ線模式断面図。
【図４】従来のシリンダ錠にシャッタ板を設けた場合の図３（ａ）のＣ−Ｃ線模式断面図。
【符号の説明】
２…ロータ、２ａ…キー挿入孔、３…ケース、１１…シリンダ錠、１５…キー、２０…カバー部材、２１…固定部、２２…回動部（移動部材）、２４…係止突部（差し込み方向規定手段）
【図１】
2004300883.tif 000003
【図２】
2004300883.tif 000004
【図３】
2004300883.tif 000005
【図４】
2004300883.tif 000006